(57)【要約】【課題】  本発明は、胴差に外壁下地材を簡単に取り付けることができる外壁下地材取付構造および外壁下地材取付方法を提供する。【解決手段】  本発明の外壁下地材取付構造は、Ｈ型鋼からなる胴差に外壁下地材を取り付ける構造に関するものである。前記Ｈ型鋼は、上下フランジにそれぞれ少なくとも一つの取付孔が設けられている。前記外壁下地材は、前記Ｈ型鋼の上下フランジの間に取り付けられるもので、ボルトが固定されている。前記外壁下地材に固定されているボルトは、下部に下部ナットが、上部に上部ダブルナットがそれぞれ螺合されている。前記外壁下地材は、前記ボルトを前記Ｈ型鋼の取付孔に挿入し、前記下部ナットおよび上部ダブルナットを回すことにより、前記Ｈ型鋼のウェブに取り付けられる。【選択図】    図２
2005232748.tif 000002
【特許請求の範囲】
【請求項１】
胴差に取り付ける外壁下地材取付構造において、
上下フランジにそれぞれ少なくとも一つの取付孔が設けられている胴差を構成するＨ型鋼と、
前記Ｈ型鋼の上下フランジの間に取り付けられる外壁下地材と、
前記外壁下地材に固定されているボルトと、
前記ボルトの下部に螺合できる下部ナットと、
前記ボルトの上部に螺合できる上部ダブルナットと、
から少なくとも構成されており、
前記外壁下地材は、前記ボルトおよび下部ナットと上部ダブルナットによって前記Ｈ型鋼のフランジに設けられた取付孔に取り付けられていることを特徴とする外壁下地材取付構造。
【請求項２】
前記外壁下地材は、上部ダブルナットが取り付けられている近傍に凹部が設けられていることを特徴とする請求項１に記載された外壁下地材取付構造。
【請求項３】
胴差に外壁下地材を取り付ける外壁下地材取付方法において、
Ｈ型鋼からなる胴差の上部フランジに設けられた上部取付孔に外壁下地材に固定されているボルトの上部から挿入した後、
前記Ｈ型鋼からなる胴差の下部フランジに設けられた下部取付孔に前記ボルトの下部を挿入し、
前記ボルトの上下に予め設けられている下部ナットおよび上部ダブルナットを回転することによりＨ型鋼からなる胴差と外壁下地材とが固定されることを特徴とする外壁下地材取付方法。
【請求項４】
胴差に外壁下地材を取り付ける外壁下地材取付方法において、
Ｈ型鋼からなる胴差の上部フランジに設けられた上部取付孔に外壁下地材に固定されているボルトの上部から挿入した後、
前記Ｈ型鋼からなる胴差の下部フランジに設けられた下部取付孔に前記ボルトの下部を挿入し、
予め設けられた外壁下地材の凹部からスパナを挿入して、前記上部ダブルナットの上方のナットを回転することによりＨ型鋼からなる胴差と外壁下地材とが固定されることを特徴とする外壁下地材取付方法。
【発明の詳細な説明】
【技術分野】
【０００１】
本発明は、たとえば、片持ちバルコニーを取り付けるための胴差に外壁下地材を取り付ける外壁下地材取付構造および外壁下地材取付方法に関するものである。
【背景技術】
【０００２】
図３は従来例における外壁下地材の構造を説明するための斜視図である。図３において、外壁下地材３１には、固定部材３２が取り付けられている。前記固定部材３２には、ボルト３３が挿通され、前記ボルト３３の頭部３５とナット３４により、たとえば、Ｈ型鋼の上下フランジに設けられた取付孔（図示されていない）に取り付けられている。
【０００３】
また、住宅等の建物において、胴差と外壁面材とを作業性を良く取り付けるものとして、たとえば、特開平８−２１０６３号公報、一階用ガラス窓と二階用ガラス窓との間に化粧ガラスパネルを強固に固定できる外壁の構造として、たとえば、特開２００２−１０６１４４号公報、上下に相隣るサイディング間に介在するように配置される化粧胴差と金具との取付構造として、たとえば、特開平１０−８２１５６号公報がある。
【０００４】
【特許文献１】特開平８−２１０６３号公報
【特許文献２】特開２００２−１０６１４４号公報
【特許文献３】特開平１０−８２１５６号公報
【発明の開示】
【発明が解決しようとする課題】
【０００５】
図３に示された外壁下地材取付構造および各公報に示された取付構造は、堅固かつ精度良く取り付けることに重点がおかれ、作業性等についてあまり考慮されていなかった。たとえば、片持ちバルコニー用胴差に外壁下地材を取り付けるためには、高所でしかも片手作業を多くなる。すなわち、前記作業は、作業者の安全を確保しながら、作業を行う必要がしばしばある。
【０００６】
本発明は、以上のような課題を解決するためのものであり、高所において、片手作業であっても、胴差に外壁下地材を簡単に取り付けることができる外壁下地材取付構造および外壁下地材取付方法を提供することを目的とする。
【課題を解決するための手段】
【０００７】
（第１発明）
第１発明の外壁下地材取付構造は、胴差に取り付ける外壁下地材取付構造であって、上下フランジにそれぞれ少なくとも一つの取付孔が設けられている胴差を構成するＨ型鋼と、前記Ｈ型鋼の上下フランジの間に取り付けられる外壁下地材と、前記外壁下地材に固定されているボルトと、前記ボルトの下部に螺合できる下部ナットと、前記ボルトの上部に螺合できる上部ダブルナットと、から少なくとも構成されており、前記外壁下地材は、前記ボルトおよび下部ナットと上部ダブルナットによって前記Ｈ型鋼のフランジに設けられた取付孔に取り付けられていることを特徴とする。
【０００８】
（第２発明）
第２発明の外壁下地材取付構造において、外壁下地材は、上部ダブルナットが取り付けられている近傍に凹部が設けられていることを特徴とする。
【０００９】
（第３発明）
第３発明の外壁下地材取付方法は、胴差に外壁下地材を取り付ける外壁下地材取付方法であって、Ｈ型鋼からなる胴差の上部フランジに設けられた上部取付孔に外壁下地材に固定されているボルトの上部から挿入した後、前記Ｈ型鋼からなる胴差の下部フランジに設けられた下部取付孔に前記ボルトの下部を挿入し、前記ボルトの上下に予め設けられている下部ナットおよび上部ダブルナットを回転することによりＨ型鋼からなる胴差と外壁下地材とが固定されることを特徴とする。
【００１０】
（第４発明）
第４発明の外壁下地材取付方法は、胴差に外壁下地材を取り付ける外壁下地材取付方法であって、Ｈ型鋼からなる胴差の上部フランジに設けられた上部取付孔に外壁下地材に固定されているボルトの上部から挿入した後、記Ｈ型鋼からなる胴差の下部フランジに設けられた下部取付孔に前記ボルトの下部を挿入し、予め設けられた外壁下地材の凹部からスパナを挿入して、前記上部ダブルナットの上方のナットを回転することによりＨ型鋼からなる胴差と外壁下地材とが固定されることを特徴とする。
【発明の効果】
【００１１】
本発明によれば、外壁下地材に取り付けられたボルトをＨ型鋼の上方のフランジの取付孔に挿入した後、前記下方のボルトを下方のフランジの取付孔に挿入し、ダブルナットの一方を回すだけで容易に取り付けることができる。
【００１２】
本発明によれば、高所作業にもかかわらず、片手でスパナを回すといった単純作業のみで、たとえば、片持ちバルコニーを取り付けるための胴差に外壁下地材を取り付けることができる。
【発明を実施するための最良の形態】
【００１３】
（第１発明）
第１発明の外壁下地材取付構造は、Ｈ型鋼からなる胴差に外壁下地材を取り付ける構造に関するものである。前記Ｈ型鋼は、上下フランジにそれぞれ少なくとも一つの取付孔が設けられている。前記外壁下地材は、前記Ｈ型鋼の上下フランジの間に取り付けられるもので、ボルトが固定されている。前記外壁下地材に固定されているボルトは、下部に下部ナットが、上部に上部ダブルナットがそれぞれ螺合されている。
【００１４】
前記外壁下地材は、前記ボルトを前記Ｈ型鋼の取付孔に挿入し、前記下部ナットおよび上部ダブルナットを回すことにより、前記Ｈ型鋼のウェブに取り付けられる。
【００１５】
（第２発明）
第２発明の外壁下地材は、上部ダブルナットが取り付けられている近傍に凹部が設けられており、前記凹部を利用して、スパナ等の工具が挿入され、前記上部ダブルナットにおける上部ナットの回転が容易な構造になっている。
【００１６】
（第３発明）
第３発明の外壁下地材取付方法は、Ｈ型鋼からなる胴差に外壁下地材を取り付ける方法に関するものである。外壁下地材に固定されているボルトの上部は、Ｈ型鋼からなる胴差の上部フランジに設けられた上部取付孔に挿入される。その後、外壁下地材に固定されているボルトの下部は、前記Ｈ型鋼からなる胴差の下部フランジに設けられた下部取付孔に挿入される。
【００１７】
前記ボルトの上下に予め設けられている下部ナットおよび上部ダブルナットは、それぞれを回転することによりＨ型鋼からなる胴差と外壁下地材とが固定される。前記胴差と外壁下地材との取り付けは、高所の取り付け作業が多いが、片手で外壁下地材を前記各取付孔に挿入した後、スパナでナットを回転するだけで、容易に行うことができる。
【００１８】
（第４発明）
第４発明において、胴差に取り付ける外壁下地材の上部には、予めスパナが挿入できる凹部が設けられている。前記胴差に取り付けられた外壁下地材は、前記凹部からスパナ等の工具が挿入された後、上部ダブルナットの上方のナットを回転することによりＨ型鋼からなる胴差と外壁下地材とが固定される。
【実施例１】
【００１９】
図１は本発明の実施例で、Ｈ型鋼と外壁下地材との取付構造を説明するための斜視図である。図２（イ）ないし（ニ）はＨ型鋼に外壁下地材を取り付ける順序を説明するための図である。図１および図２において、Ｈ型鋼１１は、ウェブ１１３の上下に上部フランジ１１１と下部フランジ１１２とが成形されている。前記上部フランジ１１１には、少なくとも一つの上部取付孔１１４が、前記下部フランジ１１２には、少なくとも一つの下部取付孔１１５が設けられている。
【００２０】
外壁下地材１２には、固定部材１２２が取り付けられている。前記固定部材１２２には、ボルト１２１と、前記ボルト１２１に螺合する上部ダブルナット１２３と下部ナット１２４とが取り付けられている。
【００２１】
前記外壁下地材１２に取り付けられたボルト１２１の上端部は、図２（イ）に示されているように、前記Ｈ型鋼１１の上部フランジ１１１に設けられた上部取付孔１１４に挿入される。その後、前記ボルト１２１の下端部は、図２（ロ）に示されているように、垂直に落下させることにより、前記Ｈ型鋼１１の下部フランジ１１２に設けられた下部取付孔１１５に挿入される。
【００２２】
前記上部ダブルナット１２３の一方は、図２（ハ）に示されているように、片手にスパナを持ち、前記スパナを回転させることにより、図２（ニ）に示されている方向に移動し、Ｈ型鋼１１と外壁下地材１２とは堅固に取り付けられる。取り外しは、前記と逆に行うことで、片手により簡単に行える。
【実施例２】
【００２３】
図１および図２において、外壁下地材１２の上部で、固定部材１２２に取り付けられたボルト１２１の近傍には、凹部１２４が成形されている。前記凹部１２４は、上部ダブルナット１２３における上部のナットを回転させるためのスパナ等の工具を挿入するのに都合が良い。
【産業上の利用可能性】
【００２４】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の前記Ｈ型鋼および外壁下地材の材質は、周知または公知のものを使用することができる。
【００２５】
本発明は、特許請求の範囲に記載された事項を逸脱することがなければ、前記外壁下地材およびボルト等の取り付け、および外壁下地材と固定部材との取り付けは、公知または周知の固定手段を採用することができる。
【００２６】
本実施例における外壁下地材に設けられた凹部の形状は、上部ダブルナットにおける上部ナットを回転させる工具が挿入できるものであれば、特に限定されない。
【図面の簡単な説明】
【００２７】
【図１】本発明の実施例で、Ｈ型鋼と外壁下地材との取付構造を説明するための斜視図である。（実施例１）
【図２】（イ）ないし（ニ）はＨ型鋼に外壁下地材を取り付ける順序を説明するための図である。
【図３】従来例における外壁下地材の構造を説明するための斜視図である。
【符号の説明】
【００２８】
１１・・・Ｈ型鋼
１１１・・・上部フランジ
１１２・・・下部フランジ
１１３・・・ウェブ
１１４・・・上部取付孔
１１５・・・下部取付孔
１２・・・外壁下地材
１２１・・・ボルト
１２２・・・固定部材
１２３・・・上部ダブルナット
１２４・・・下部ナット
【図１】
2005232748.tif 000003
【図２】
2005232748.tif 000004
【図３】
2005232748.tif 000005